【手続補正書】
【提出日】平成15年11月12日(2003.11.12)
【手続補正１】
【補正対象書類名】特許請求の範囲
【補正対象項目名】全文
【補正方法】変更
【補正の内容】
【特許請求の範囲】
【請求項１】
ネットワークコンテンツ監視のためのシステムであって、
ネットワーク内のある箇所に接続可能であり、前記箇所を通って搬送されるデータを監視するためのトランスポートデータモニターと、
前記トランスポートデータモニターに関連付けられた、搬送される前記データの記述を抽出するための記述抽出器と、
移動を監視したいコンテンツの少なくとも１つの事前に得た記述のデータベースと、
前記抽出された記述が前記少なくとも１つの事前に得た記述のいずれかと一致するかどうかを決定し、それによって搬送される前記データが移動を監視したい前記コンテンツのいずれかを含むかどうかを決定する比較器と
を備えたシステム。
【請求項２】
前記記述抽出器は、搬送される前記データを識別可能に記述するパターンを抽出するように作動可能である請求項１記載のシステム。
【請求項３】
前記記述抽出器は、搬送される前記データの署名を抽出するように作動可能である請求項１記載のシステム。
【請求項４】
前記記述抽出器は、搬送される前記データの特徴を抽出するように作動可能である請求項１記載のシステム。
【請求項５】
前記記述抽出器は、搬送される前記データのカプセル化されたメタ情報を抽出するように作動可能である請求項１記載のシステム。
【請求項６】
前記記述抽出器は、搬送される前記データのマルチレベル記述を抽出するように作動可能である請求項１記載のシステム。
【請求項７】
前記マルチレベル記述は、搬送される前記データを識別可能に記述するパターンを含む請求項６記載のシステム。
【請求項８】
前記マルチレベル記述は、搬送される前記データの署名を含む請求項６記載のシステム。
【請求項９】
前記マルチレベル記述は、搬送される前記データの特徴を含む請求項６記載のシステム。
【請求項１０】
前記マルチレベル記述は、搬送される前記データのカプセル化されたメタ情報を含む請求項６記載のシステム。
【請求項１１】
前記記述抽出器は前記データの導出を抽出するための署名抽出器であり、前記導出は搬送される前記データのコンテンツを示す署名であり、ここで前記少なくとも１つの事前に得た記述は、事前に得た署名である請求項１記載のシステム。
【請求項１２】
前記ネットワークはパケット交換ネットワークであり、搬送される前記データは通過パケットを含む請求項１記載のシステム。
【請求項１３】
前記ネットワークはパケット交換ネットワークであり、搬送される前記データは通過パケットを含み、前記トランスポートデータモニターは前記通過パケットのヘッダ内容を監視するように作動可能である請求項１記載のシステム。
【請求項１４】
前記ネットワークはパケット交換ネットワークであり、搬送される前記データは通過パケットを含み、前記トランスポートデータ抽出器は前記通過パケットのヘッダ内容およびデータコンテンツを監視するように作動可能である請求項１記載のシステム。
【請求項１５】
前記トランスポートデータモニターは、それ自体を前記ネットワークの予め定められたノードに配置するように作動可能なソフトウェアエージェントである請求項１記載のシステム。
【請求項１６】
前記ネットワークの複数の箇所に分配された複数のトランスポートデータモニターを含む請求項１記載のシステム。
【請求項１７】
前記トランスポートデータモニターは、通過コンテンツがマルチメディアデータを含むかどうかを決定し、前記署名抽出を前記マルチメディアデータに制限するためのマルチメディアフィルタをさらに含む請求項１記載のシステム。
【請求項１８】
搬送される前記データは複数のプロトコル層を含み、システムは前記トランスポートデータモニターと前記署名抽出器との間に接続された層アナライザをさらに含み、前記層アナライザは前記層のうちの少なくとも２つのためのアナライザモジュールを含む請求項１記載のシステム。
【請求項１９】
前記層アナライザは、それぞれの層のための別個のアナライザモジュールを含む請求項１８記載のシステム。
【請求項２０】
前記アナライザモジュールからの出力を使用して、異なるソースからのトランスポートデータを単一の通信として関連付けるために、前記アナライザモジュールに接続されたトラフィックアソシエータをさらに含む請求項１８記載のシステム。
【請求項２１】
前記ソースは、データパケット、通信チャネル、データモニター、および事前相関データからなる群のうちの少なくとも１つである請求項２０記載のシステム。
【請求項２２】
前記層アナライザモジュールからの出力を受け取り、単一の通信に属する、異なる層アナライザモジュールの出力をひとつに関連付けるために接続されたトラフィック状態アソシエータを含む請求項１８記載のシステム。
【請求項２３】
前記アナライザモジュールの少なくとも１つは、通過コンテンツがマルチメディアデータを含むかどうかを決定し、前記署名抽出を前記マルチメディアデータに制限するためのマルチメディアフィルタを含む請求項１８記載のシステム。
【請求項２４】
前記アナライザモジュールの少なくとも１つは、前記抽出されたトランスポートデータが圧縮されているかどうかを決定するための圧縮検出器を含む請求項１８記載のシステム。
【請求項２５】
前記データが圧縮されていると決定された場合に前記データを圧縮解除するために、前記圧縮検出器に関連付けられた圧縮解除器をさらに含む請求項２４記載のシステム。
【請求項２６】
前記圧縮データから記述を直接抽出するための記述抽出器をさらに含む請求項２４記載のシステム。
【請求項２７】
前記アナライザモジュールの少なくとも１つは、前記トランスポートデータが暗号化されているかどうかを決定するための暗号化検出器を含む請求項１８記載のシステム。
【請求項２８】
前記暗号化検出器は、前記監視されるトランスポートデータのエントロピーを測定するためのエントロピー測定装置を含む請求項２７記載のシステム。
【請求項２９】
前記暗号化検出器は、高エントロピーを暗号化データが存在するという標識として認識するように設定する請求項２８記載のシステム。
【請求項３０】
前記暗号化検出器は、前記測定されたエントロピーの高さを前記暗号化データ標識の信頼水準として使用するように設定する請求項２９記載のシステム。
【請求項３１】
前記監視されるトランスポートデータのフォーマットを決定するためのフォーマット検出器をさらに含む請求項１８記載のシステム。
【請求項３２】
前記監視トランスポートデータを前記検出されたフォーマットに従ってメディアとして表示しかつ再生し、それによって前記監視トランスポートデータを搬送フォーマットとは独立した署名の抽出のための状態にするために、前記フォーマット検出器に関連付けられたメディアプレイヤーをさらに含む請求項３１記載のシステム。
【請求項３３】
前記監視トランスポートメディアを構文解析し、それによって前記監視トランスポートデータを搬送フォーマットとは独立した署名の抽出のための状態にするために、前記フォーマット検出器に関連付けられた構文解析装置をさらに含む請求項３１記載のシステム。
【請求項３４】
署名抽出用のデータを運ぶコンテンツを抽出するために、前記トランスポートモニターと前記署名抽出器との間に配置されたペイロード抽出器を含む請求項１記載のシステム。
【請求項３５】
前記署名抽出器は、前記監視トランスポートデータに適用するための二値関数を含む請求項１記載のシステム。
【請求項３６】
前記ネットワークはパケットネットワークであり、バッファリングされたパケットのバッチから前記署名抽出器が署名を抽出することを可能にするために、バッファを前記署名抽出器に関連付ける請求項１記載のシステム。
【請求項３７】
前記二値関数は少なくとも１つのハッシュ関数を含む請求項３５記載のシステム。
【請求項３８】
前記二値関数は、前記監視トランスポートデータのオフセットを識別するための第１の高速ハッシュ関数と、前記オフセットを使用する前記監視トランスポートデータに適用するための第２の完全なハッシュ関数とを含む請求項３７記載のシステム。
【請求項３９】
前記署名抽出器は、搬送される前記監視データの音声部から署名を抽出するための音声署名抽出器を含む請求項１１記載のシステム。
【請求項４０】
前記署名抽出器は、搬送される前記監視データの映像部から署名を抽出するための映像署名抽出器を含む請求項１１記載のシステム。
【請求項４１】
前記署名抽出器は、署名抽出を改善するために搬送される前記監視データを前処理するための前処理装置を含む請求項１１記載のシステム。
【請求項４２】
前記前処理装置は、誤ったデータの除去、冗長の除去、および搬送される前記監視データの特性の正準化からなる前処理操作の群のうちの少なくとも１つを実行するように作動可能である請求項４１記載のシステム。
【請求項４３】
前記信号抽出器は、イニシャル署名抽出用の二値信号抽出器と、前記イニシャル署名抽出で識別を達成できなかった場合に音声署名を抽出するための音声署名抽出器とを含む請求項１１記載のシステム。
【請求項４４】
前記信号抽出器は、イニシャル署名抽出用の二値信号抽出器と、前記イニシャル署名抽出で識別を達成できなかった場合にテキスト署名を抽出するためのテキスト署名抽出器とを含む請求項１１記載のシステム。
【請求項４５】
前記信号抽出器は、イニシャル署名抽出用の二値信号抽出器と、前記イニシャル署名抽出で識別を達成できなかった場合にコード署名を抽出するためのコード署名抽出器とを含む請求項１１記載のシステム。
【請求項４６】
前記信号抽出器は、イニシャル署名抽出用の二値信号抽出器と、前記イニシャル署名抽出で識別を達成できなかった場合にデータコンテンツ署名を抽出するためのデータコンテンツ署名抽出器とを含む請求項１１記載のシステム。
【請求項４７】
前記署名抽出器は、複数の署名抽出方法を使用するように作動可能である請求項１１記載のシステム。
【請求項４８】
各々の前記方法の抽出署名の組合せを生成するためのコンバイナをさらに含む請求項４７記載のシステム。
【請求項４９】
前記比較器は、各々の前記方法の署名を使用して比較を行い、各々の前記方法の最高結果を比較出力として使用するように作動可能である請求項４７記載のシステム。
【請求項５０】
前記信号抽出器は、イニシャル署名抽出用の二値信号抽出器と、前記イニシャル署名抽出で識別を達成できなかった場合に映像署名を抽出するための映像署名抽出器とを含む請求項１１記載のシステム。
【請求項５１】
複数の事前に得た署名があり、前記比較器は、前記抽出された署名を前記事前に得た署名の各々と比較し、それによって前記監視トランスポートデータがいずれかの前記署名と同一であるコンテンツソースに属するかどうかを決定するように作動可能である請求項１１記載のシステム。
【請求項５２】
前記比較器は、前記抽出された署名の累積一致数を得るように作動可能である請求項５１記載のシステム。
【請求項５３】
前記比較器は、前記事前に得た署名の各々との適合性の尤度を計算し、前記比較器の後に接続された無許可コンテンツ有無決定装置に最高の確率を出力するように作動可能である請求項５１記載のシステム。
【請求項５４】
前記比較器は、前記事前に得た署名の各々との適合性の尤度を計算し、しきい値確率レベルを超える累積一致総数を出力するように作動可能である請求項５２記載のシステム。
【請求項５５】
前記比較器は、前記事前に得た署名の各々との適合性の尤度を計算し、しきい値確率レベルを超える累積一致尤度を出力するように作動可能である請求項５２記載のシステム。
【請求項５６】
前記比較器によって行われる連続照合、文脈関連パラメータ、他のコンテンツ関連パラメータ、および外部パラメータの少なくとも１つに基づいて、シーケンシャル決定試験を使用して所定のコンテンツが存在する尤度を更新するために作動可能である、前記比較器に関連付けられたシーケンシャル決定装置を含む請求項５１記載のシステム。
【請求項５７】
前記無許可コンテンツ有無決定装置は、前記比較器の出力を使用して、無許可コンテンツが前記トランスポートに存在するかどうかを決定し、後に接続されたポリシー決定装置に前記有無の確実な決定を出力するように作動可能である請求項５３記載のシステム。
【請求項５８】
無許可コンテンツ有無決定装置は前記比較器の後に接続され、前記比較器の出力を使用して、搬送される前記データに無許可コンテンツが存在するかどうかを決定するように作動可能であり、前記有無の確実な決定がその後に接続されたポリシー決定装置に出力される請求項５１記載のシステム。
【請求項５９】
前記ポリシー決定装置は、少なくとも前記無許可コンテンツ有無決定装置の出力に基づいて実施決定を生成するために、ルールに基づく意思決定装置を含む請求項５８記載のシステム。
【請求項６０】
前記ポリシー決定装置は、前記ルールに基づく意思決定装置を使用して、処置を講じないこと、監査を実行すること、前記コンテンツのトランスクリプトを出力すること、前記トランスポートに割り当てる帯域幅を低減すること、アクティブビットストリーム妨害技術を使用すること、前記トランスポートを停止すること、印刷を防止すること、写真複写を防止すること、コンテンツの品質を低下すること、重要部分を除去すること、コンテンツを変化させること、前記コンテンツにメッセージを追加すること、および携帯メディアへの保存を防止することのうち、少なくとも幾つかを含む１組の出力の中から選択するように作動可能である請求項１記載のシステム。
【請求項６１】
前記ルールに基づく意思決定装置は、前記選択を行うために署名識別の尤度レベルを入力として使用するように作動可能である請求項６０記載のシステム。
【請求項６２】
前記ポリシー決定装置の出力決定に従ってネットワーク帯域幅割当を管理するために、前記ポリシー決定装置に接続される帯域幅管理装置をさらに含む請求項６１記載のシステム。
【請求項６３】
監視を希望するコンテンツに対応すると識別されたデータの搬送の監査リポートを作成し、かつ格納するために、監査装置をさらに含む請求項１記載のシステム。
【請求項６４】
前記比較によって識別されたコンテンツのトランスクリプトを生成するためのトランスクリプト出力装置を含む請求項１記載のシステム。
【請求項６５】
前記暗号化決定装置の結果を受け取り、ルールに基づく意思決定を適用して、処置を講じないこと、監査を実行すること、前記コンテンツのトランスクリプトを出力すること、前記トランスポートに割り当てる帯域幅を低減すること、アクティブビットストリーム妨害技術を使用すること、および前記トランスポートを停止することのうち、少なくとも幾つかを含む１組の出力の中から選択するために接続されたポリシー決定装置をさらに含む請求項２７記載のシステム。
【請求項６６】
前記ルールに基づく意思決定は、前記結果の信頼水準に基づくルールを含む請求項６５記載のシステム。
【請求項６７】
前記ポリシー決定装置は、所定のユーザからのある量の暗号化トランスポートの入力を、前記ルールに基づく意思決定における要因として使用するように作動可能である請求項６５記載のシステム。
【請求項６８】
前記暗号化決定装置の確実な結果を受け取り、ルールに基づく意思決定を適用して、処置を講じないこと、監査を実行すること、前記コンテンツのトランスクリプトを出力すること、前記トランスポートに割り当てる帯域幅を低減すること、アクティブビットストリーム妨害技術を使用すること、および前記トランスポートを停止することのうち、少なくとも幾つかを含む１組の出力の中から選択するために接続されたポリシー決定装置をさらに含み、
前記ポリシー決定装置は、所定のユーザからのある量の暗号化トランスポートの入力及び前記信頼水準を、前記ルールに基づく意思決定における要因として使用するように作動可能である請求項３０記載のシステム。
【請求項６９】
前記トランスポートデータモニターはステガノグラムを除去する機能を含み、除去される前記ステガノグラムは前記トランスポートデータモニターによって監視される前記データ内に隠蔽される情報を含む請求項１記載のシステム。
【請求項７０】
ステガノグラムを除去する前記機能は、
監視される前記データ内に隠蔽される前記ステガノグラムのコンテンツ、
監視される前記データ内に隠蔽される前記情報のコンテンツ、および
監視される前記データ内の前記ステガノグラムの隠蔽の方法
からなる群のうちの少なくとも一つから独立している請求項６９記載のシステム
【請求項７１】
ステガノグラムを除去する前記機能は、
前記トランスポートデータモニターによって監視される前記データにノイズを加えること、
前記トランスポートデータモニターによって監視される前記データを破壊すること、および
前記トランスポートデータモニターによって監視される前記データ内の少なくとも１つのステガノグラムを埋め込むこと、
のうちの少なくとも１つを含む請求項６９記載のシステム。
【請求項７２】
ネットワークコンテンツ制御のためのシステムであって、
ネットワーク内のある箇所に接続可能であり、前記箇所を通って搬送されるデータを監視するためのトランスポートデータモニターと、
前記監視されるデータのペイロードの導出であって、前記データのコンテンツを示す導出を抽出するために、前記トランスポートデータモニターに関連付けられた署名抽出器と、
移動を監視したいコンテンツの事前に得た署名のデータベースと、
前記導出を前記事前に得た署名と比較し、それによって前記監視データが移動を制御したい前記コンテンツのいずれかを含むかどうかを決定するための比較器と、
前記比較器の出力を使用して、実施決定を生成するための意思決定装置と、
前記ポリシー決定装置の出力決定に従ってネットワーク帯域幅の割当を管理し、それによって前記ネットワークにおけるコンテンツの配付を制御するために、前記意思決定装置に接続された帯域幅管理装置と
を備えたシステム。
【請求項７３】
前記意思決定装置はルールに基づく意思決定装置である請求項７２記載のシステム。
【請求項７４】
前記トランスポートデータモニターは、前記ネットワークの予め定められたノードにそれ自体を配置するように作動可能なソフトウェアエージェントである請求項７３記載のシステム。
【請求項７５】
前記ネットワークの複数の箇所に分配された複数のトランスポートデータモニターを含む請求項７３記載のシステム。
【請求項７６】
前記トランスポートデータモニターは、通過コンテンツがマルチメディアデータを含むかどうかを決定し、前記署名抽出を前記マルチメディアデータに制限するためのマルチメディアフィルタをさらに含む請求項７３記載のシステム。
【請求項７７】
前記トランスポートデータは複数のプロトコル層を含み、システムは前記トランスポートデータモニターと前記署名抽出器との間に接続された層アナライザをさらに含み、前記層アナライザは前記層のうちの少なくとも２つのためのアナライザモジュールを含む請求項７３記載のシステム。
【請求項７８】
前記層アナライザモジュールからの出力を受け取り、単一の通信に属する異なる層アナライザモジュールからの出力をひとつに関連付けるために接続された、トラフィック状態アソシエータを含む請求項７７記載のシステム。
【請求項７９】
前記アナライザモジュールの１つは、通過コンテンツがマルチメディアデータを含むかどうかを決定し、前記データ抽出を前記マルチメディアデータに制限するためのマルチメディアフィルタを含む請求項７７記載のシステム。
【請求項８０】
前記アナライザモジュールの１つは、前記監視トランスポートデータが圧縮されているかどうかを決定するための圧縮検出器を含む請求項７７記載のシステム。
【請求項８１】
前記データが圧縮されていると決定された場合に前記データを圧縮解除するために、前記圧縮検出器に関連付けられた圧縮解除器をさらに含む請求項８０記載のシステム。
【請求項８２】
前記アナライザモジュールの１つは、前記監視されるトランスポートデータが暗号化されているかどうかを決定するための暗号化検出器を含む請求項７７記載のシステム。
【請求項８３】
前記暗号化検出器は、前記監視されるトランスポートデータのエントロピーを測定するためのエントロピー測定装置を含む請求項８２記載のシステム。
【請求項８４】
前記暗号化検出器は、高エントロピーを暗号化データが存在するという標識として認識するように設定する請求項８３記載のシステム。
【請求項８５】
前記暗号化検出器は、前記測定されたエントロピーの高さを前記暗号化データ標識の信頼水準として使用するように設定する請求項８４記載のシステム。
【請求項８６】
前記監視されるトランスポートデータのフォーマットを決定するためのフォーマット検出器をさらに含む請求項７７記載のシステム。
【請求項８７】
前記監視トランスポートデータを前記検出されたフォーマットに従ってメディアとして表示しかつ再生し、それによって前記抽出トランスポートデータを搬送フォーマットとは独立した署名の抽出のための状態にするために、前記フォーマット検出器に関連付けられたメディアプレイヤーをさらに含む請求項８６記載のシステム。
【請求項８８】
前記監視トランスポートメディアを構文解析し、それによって前記抽出トランスポートデータを搬送フォーマットとは独立した署名の抽出のための状態にするために、前記フォーマット検出器に関連付けられた構文解析装置をさらに含む請求項８６記載のシステム。
【請求項８９】
前記署名抽出器は、前記抽出トランスポートデータに適用するための二値関数を含む請求項７３記載のシステム。
【請求項９０】
前記二値関数は少なくとも１つのハッシュ関数を含む請求項８９記載のシステム。
【請求項９１】
前記二値関数は、前記抽出トランスポートデータのオフセットを識別するための第１の高速ハッシュ関数と、前記オフセットを使用する前記抽出トランスポートデータに適用するための第２の完全なハッシュ関数とを含む請求項９０記載のシステム。
【請求項９２】
前記署名抽出器は、前記抽出されたトランスポートデータの音声部から署名を抽出するための音声署名抽出器を含む請求項７３記載のシステム。
【請求項９３】
前記署名抽出器は、前記抽出されたトランスポートデータの映像部から署名を抽出するための映像署名抽出器を含む請求項７３記載のシステム。
【請求項９４】
前記比較器は、前記抽出された署名を前記事前に得た署名の各々と比較し、それによって前記監視トランスポートデータがいずれかの前記署名と同一であるコンテンツソースに属するかどうかを決定するように作動可能である請求項７３記載のシステム。
【請求項９５】
前記比較器は、前記事前に得た署名の各々との適合性の尤度を計算し、前記比較器の後に接続された無許可コンテンツ有無決定装置に最高の確率を出力するように作動可能である請求項９４記載のシステム。
【請求項９６】
前記無許可コンテンツ有無決定装置は、前記比較器の出力を使用して、無許可コンテンツが前記トランスポートに存在するかどうかを決定し、後に接続されたポリシー決定装置に前記有無の確実な決定を出力するように作動可能である請求項９５記載のシステム。
【請求項９７】
無許可コンテンツ有無決定装置は前記比較器の後に接続され、前記比較器の出力を使用して、前記トランスポートに無許可コンテンツが存在するかどうかを決定するように作動可能であり、前記有無の確実な決定がその後に接続されたポリシー決定装置に出力される請求項９４記載のシステム。
【請求項９８】
前記ポリシー決定装置は、少なくとも前記無許可コンテンツ有無決定装置の出力に基づいて実施決定を生成するために、前記ルールに基づく意思決定装置を含む請求項９７記載のシステム。
【請求項９９】
前記ポリシー決定装置は、前記ルールに基づく意思決定装置を使用して、処置を講じないこと、監査を実行すること、前記コンテンツのトランスクリプトを出力すること、前記トランスポートに割り当てる帯域幅を低減すること、アクティブビットストリーム妨害技術を使用すること、前記トランスポートを停止すること、前記コンテンツの印刷を許可しないこと、前記コンテンツの写真複写を許可しないこと、および携帯メディアへの前記コンテンツの保存を許可しないことのうち、少なくとも幾つかを含む１組の出力の中から選択するように作動可能である請求項７３記載のシステム。
【請求項１００】
前記ルールに基づく意思決定装置は、前記選択を行うために署名識別の尤度を入力として使用するように作動可能である請求項９９記載のシステム。
【請求項１０１】
監視を希望するコンテンツに対応すると識別されたデータの搬送の監査リポートを作成し、かつ格納するための監査装置をさらに含む請求項７３記載のシステム。
【請求項１０２】
前記暗号化決定装置の確実な結果を受け取り、前記ルールに基づく意思決定装置のルールに基づく決定を適用して、処置を講じないこと、監査を実行すること、前記コンテンツのトランスクリプトを出力すること、前記トランスポートに割り当てる帯域幅を低減すること、アクティブビットストリーム妨害技術を使用すること、前記トランスポートを停止すること、コンテンツの品質を低下すること、重要部分を除去すること、コンテンツを変化させること、前記コンテンツにメッセージを追加すること、前記コンテンツの印刷を許可しないこと、前記コンテンツの写真複製を許可しないこと、および携帯メディアへの前記コンテンツの保存を許可しないことのうち、少なくとも幾つかを含む１組の出力の中から選択するために接続されたポリシー決定装置をさらに含む請求項８２記載のシステム。
【請求項１０３】
前記ポリシー決定装置は、所定のユーザからのある量の暗号化トランスポートの入力を、前記ルールに基づく意思決定における要因として使用するように作動可能である請求項１０２記載のシステム。
【請求項１０４】
前記暗号化決定装置の確実な結果を受け取り、前記ルールに基づく意思決定装置のルールに基づく意思決定を適用して、処置を講じないこと、監査を実行すること、前記コンテンツのトランスクリプトを出力すること、前記トランスポートに割り当てる帯域幅を低減すること、アクティブビットストリーム妨害技術を使用すること、前記トランスポートを停止すること、コンテンツの品質を低下すること、重要部分を除去すること、コンテンツを変化させること、前記コンテンツにメッセージを追加すること、前記コンテンツの印刷を許可しないこと、前記コンテンツの写真複製を許可しないこと、および携帯メディアへの前記コンテンツの保存を許可しないことのうち、少なくとも幾つかを含む１組の出力の中から選択するために接続されたポリシー決定装置をさらに含む請求項８５記載のシステム。
【請求項１０５】
前記ポリシー決定装置は、
所定のユーザからのある量の暗号化トランスポートの入力、および信頼水準を
前記ルールに基づく意思決定における要因として
使用するように作動可能である請求項１０４記載のシステム。
【請求項１０６】
ファイヤウォール内に構成される請求項７２記載のシステム。
【請求項１０７】
前記トランスポートデータモニターは、前記ファイヤウォールを越えて着信および発信するデータトランスポートを検査するように作動可能である請求項１０６記載のシステム。
【請求項１０８】
前記ネットワーク内の制限ネットワークゾーンから発信されるデータトランスポートを検査することによって、前記ゾーンを画定するように作動可能である請求項７２記載のシステム。
【請求項１０９】
データソースが信用できると認識し、前記信用できるデータソースから発信されるデータトランスポートを監視無しで通過させる認証認識機能を含む請求項７２記載のシステム。
【請求項１１０】
データソースを信用できると認識し、前記信用できるデータソースから発信されるデータトランスポートを、前記データソース認識に基づいて修正された監視により通過させる認証認識機能を含む請求項７２記載のシステム。
【請求項１１１】
データソースを信頼できると認識し、前記信用できるデータソースから発信されるデータトランスポートを、前記データソース認識に基づいて修正される前記意思決定により通過させる認証認識機能を含む請求項７２記載のシステム。
【請求項１１２】
前記トランスポートデータモニターはステガノグラムを除去する機能を含み、除去される前記ステガノグラムは前記トランスポートデータモニターによって監視される前記データ内に隠蔽される情報を含む請求項７２記載のシステム。
【請求項１１３】
ステガノグラムを除去する前記機能は、
監視される前記データ内に隠蔽される前記ステガノグラムのコンテンツ、
監視される前記データ内に隠蔽される前記情報のコンテンツ、および
監視される前記データ内の前記ステガノグラムの隠蔽の方法
からなる群のうちの少なくとも一つから独立している請求項１１２記載のシステム
【請求項１１４】
ステガノグラムを除去する前記機能は、
前記トランスポートデータモニターによって監視される前記データにノイズを加えること、
前記トランスポートデータモニターによって監視される前記データを破壊すること、および
前記トランスポートデータモニターによって監視される前記データ内の少なくとも１つのステガノグラムを埋め込むこと、
のうちの少なくとも１つを含む請求項１１２記載のシステム。
【請求項１１５】
予め定められたコンテンツのネットワークによる配付を監視する方法であって、
前記ネットワーク上の少なくとも１つの監視箇所からデータの抽出を得るステップと、
前記抽出されたデータのコンテンツを示す署名を得るステップと、
前記署名を事前に格納された１組の前記予め定められたコンテンツを示す署名の少なくとも１つと比較するステップと、
前記比較の出力を前記予め定められたコンテンツの有無の標識として使用するステップと
を含む方法。
【請求項１１６】
前記トランスポートデータモニターはステガノグラムを除去する機能を含み、前記データ内に隠蔽されるステガノグラムを前記抽出されたデータから除去するステップをさらに含む請求項１１５記載の方法。
【請求項１１７】
前記ステガノグラムを除去するステップは、
前記データ内に隠蔽される前記ステガノグラムのコンテンツ、
前記データ内に隠蔽される前記情報のコンテンツ、および
前記データ内の前記ステガノグラムの隠蔽の方法
からなる群のうちの少なくとも一つから独立している請求項１１６記載のシステム
【請求項１１８】
前記ステガノグラムを除去するステップは、
前記データにノイズを加えること、
前記データを破壊すること、および
前記データ内の少なくとも１つのさらなるステガノグラムを埋め込むこと、
のうちの少なくとも１つを含む請求項６９記載のシステム。
【請求項１１９】
予め定められたコンテンツのネットワークによる配付を制御する方法であって、
前記ネットワーク上の少なくとも１つの監視箇所からデータの抽出を得るステップと、
前記抽出されたデータのコンテンツを示す署名を得るステップと、
前記署名を事前に格納された１組の前記予め定められたコンテンツを示す署名の少なくとも１つと比較するステップと、
実施決定を選択する際に前記比較の出力を使用するステップと
前記ネットワークの帯域幅管理内で前記実施決定を使用するステップ
を含む方法。
【請求項１２０】
選択のための実施決定は、処置を講じないこと、監査を実行すること、前記コンテンツのトランスクリプトを出力すること、前記トランスポートに割り当てる帯域幅を低減すること、前記トランスポートを停止すること、コンテンツの品質を低下すること、重要部分を除去すること、コンテンツを変化させること、前記コンテンツにメッセージを追加すること、アクティブビットストリーム妨害技術を使用すること、帯域幅を予め定められた程度に制限すること、前記コンテンツの印刷を許可しないこと、前記コンテンツの写真複製を許可しないこと、および携帯メディアへの前記コンテンツの保存を許可しないことのうち、少なくとも幾つかを含む請求項１１９記載の方法。
【請求項１２１】
前記予め定められた程度とは、最小限の制限と帯域幅ゼロとの間に広がる範囲から選択可能である請求項１２０記載の方法。
【請求項１２２】
前記トランスポートデータモニターはステガノグラムを除去する機能を含み、前記データ内に隠蔽されるステガノグラムを前記抽出されたデータから除去するステップをさらに含む請求項１２０記載の方法。
【請求項１２３】
前記ステガノグラムを除去するステップは、
前記データ内に隠蔽される前記ステガノグラムのコンテンツ、
前記データ内に隠蔽される前記情報のコンテンツ、および
前記データ内の前記ステガノグラムの隠蔽の方法
からなる群のうちの少なくとも一つから独立している請求項１２２記載のシステム
【請求項１２４】
前記ステガノグラムを除去するステップは、
前記データにノイズを加えること、
前記データを破壊すること、および
前記データ内の少なくとも１つのさらなるステガノグラムを埋め込むこと、
のうちの少なくとも１つを含む請求項１２２記載のシステム。